(57)【要約】  温度変化と日射量変化に対応でき、自動始動が可能な太陽光発電インバータを簡易な構成で安価に提供する。  太陽光発電パネルの出力電圧を検出する第１の電圧検出手段と、電流検出手段と、制御手段と駆動手段とを具備しているインバータに、日射量の変動値を基に作成したインバータ始動キック電圧のモデル電圧テーブルを記憶させるモデル電圧記憶手段と、モデル電圧読出し手段と、インバータ始動のキック電圧を検出する第２の電圧検出手段と、インバータ始動制御手段を備えた。
2007086413.tif 000002
【特許請求の範囲】
【請求項１】
第１の電圧検出手段と、電流検出手段と、制御手段と駆動手段とを、具備しているインバータにおいて、
日射量の変動値を基に作成したインバータ始動キック電圧の季節変動値テーブルを記憶させるモデル電圧記憶手段と、モデル電圧読出し手段と、インバータ始動キック電圧を検出する第２の電圧検出手段と、インバータ始動制御手段を具備することを特徴とした太陽光発電インバータ。
【請求項２】
太陽光発電パネルの出力電圧を制御して負荷に供給するインバータと、該インバータの駆動手段と、上記太陽光発電パネルの出力電圧を検出する第１の電圧検出手段と上記太陽光発電パネルの出力電流を検出する電流検出手段とで構成される上記太陽光発電パネルの出力電力を検出する電力検出手段と、上記駆動手段に対してＰＷＭ制御信号を与える電力制御手段とを、具備しているインバータにおいて、
日射量の変動値を基に作成したインバータ始動キック電圧のモデル電圧テーブルを記憶させるモデル電圧記憶手段と、モデル電圧読出し手段と、インバータ始動のキック電圧を検出する第２の電圧検出手段と、インバータ始動制御手段を具備することを特徴とした太陽光発電インバータ。
【請求項３】
太陽光発電パネルの出力電圧を制御して負荷に供給するインバータと、該インバータの駆動手段と、上記太陽光発電パネルの出力電圧を検出する第１の電圧検出手段と上記太陽光発電パネルの出力電流を検出する電流検出手段とで構成される上記太陽光発電パネルの出力電力を検出する電力検出手段と、上記駆動手段に対してＰＷＭ制御信号を与える電力制御手段とを具備し、負荷が制御電極はインバータ始動制御手段から供給される信号を受けたときのみ主電流導通される無接点スイッチング素子を介してインバータに接続されているインバータにおいて、
日射量の変動値を基に作成したインバータ始動キック電圧のモデル電圧テーブルを記憶させるモデル電圧記憶手段と、モデル電圧読出し手段と、インバータ始動のキック電圧を検出する第２の電圧検出手段と、インバータ始動制御手段を具備することを特徴とした太陽光発電インバータ。
【請求項４】
前記モデル電圧は、日射量の季節変動値を基に作成したインバータ始動キック電圧の季節変動値をモデル電圧とし、モデル電圧テーブルは時間軸をＸ軸に、温度をＹ軸のテーブルにしたモデル電圧テーブルであることを特徴とした請求項１乃至３記載の太陽光発電インバータ。
【請求項５】
前記モデル電圧テーブルは、季節変動の要素を織り込んで時系列で読出しできる緩変動モデル電圧ＶMと、日日修正できるようにして、短日内モデル電圧ＶMLとを記憶させて用いるテーブルにしたモデル電圧テーブルであることを特徴とした請求項１乃至３記載の太陽光発電インバータ。
【請求項６】
前記緩変動モデル電圧ＶMと、前記短日内モデル電圧ＶMLとを記憶させて用いるテーブルにしたモデル電圧テーブルとし、ＶMテーブルとＶMLテーブルを読み出し合成して全季節の全時刻をモデル電圧として、当日のキック電圧を設定する為のモデル電圧テーブルであることを特徴とした請求項５記載の太陽光発電インバータ。
【請求項７】
太陽電池と、
前記太陽電池に接続されたインバータと、
前記太陽電池と前記インバータとの間の電圧と電流に基づいて前記インバータを制御する制御ユニットと、
日射量の変動値を基に作成したインバータ始動キック電圧のモデル電圧テーブルを利用して、前記制御ユニットに対して始動命令信号を発する始動命令信号提供ユニットと、
を備えた太陽光発電システム。
【請求項８】
前記始動命令信号提供ユニットは、前記インバータの運転開始時に前記太陽電池と前記インバータとの間の電圧を検出して、前記電圧を前記インバータ始動キック電圧として前記モデル電圧テーブルに記憶することができる、請求項７記載の太陽光発電システム。
【請求項９】
前記始動命令信号提供ユニットは、前記モデル電圧テーブルを記憶する記憶ユニットと、前記太陽電池と前記インバータとの間の電圧を検出する電圧検出ユニットと、前記電圧検出ユニットからの検出結果に合致するインバータ始動キック電圧を前記モデル電圧テーブルから読み出す読み出しユニットと、読み出されたインバータ始動キック電圧に基づいて前記制御ユニットに対して始動命令信号を発する始動制御ユニットとを有している、請求項７又は８記載の太陽光発電システム。
【請求項１０】
前記モデル電圧テーブルでは、各日の中の時間、その日の属する月若しくは季節等の日射量の変動量に影響与える情報に対応して前記インバータ始動キック電圧が設定される、請求項７乃至９記載の太陽光発電システム。
【発明の詳細な説明】
【技術分野】
【０００１】
本発明は，太陽光発電インバータに係わり、とくに該インバータの制御に関する。
【背景技術】
【０００２】
太陽電池発電の出力制御に関する技術文献として特許文献１がある。特許文献１の（段落０００６）に次の記述がある。「温度や日射量の変化に従って、太陽電池から取り出せる最大電力が変化し、このままでは太陽電池から能率よく最大電力を取り出すことができない」（段落０００２）に次の記述がある。「太陽光の照射を受けて発電する太陽電池板は、太陽電池板への日射量と温度とを一定としたとき、太陽電池の出力電流と出力電圧との関係図である図６に示すように出力電流Ｉｓが或る一定値Ｉｏｐ以上に増加すると、出力電圧Ｖｓは急激に低下して零となる。このような特性を持つ太陽電池の最大出力電力Ｐｍａｘは、出力電流がＩｏｐのときに生じ、該Ｉｏｐと、このときの出力電圧Ｖｏｐの積によって与えられる。太陽電池パネルは、このような太陽電池板を一枚のパネルに４０乃至５０個取り付け、直列または並列に接続することによって構成されている。」【０００３】
（段落０００３）に次の記述がある。「このような太陽電池パネルでは、温度を一定にして、日射量を変化させると、出力電流Ｉｓと出力電圧Ｖｓとの関係は、例えば、図７に実線で示すように日射量が減少すると、曲線Ａ１からＡ２に変化し、これにつれて最大出力点もａ１からａ２に変化する。その結果、最大出力点は一点鎖線で示すａ曲線のように変化する。ここで図７は、太陽電池の出力電流と出力電圧との関係が日射量及び温度の変化によって変化する状態を示す図である。」【０００４】
（段落０００４）に次の記述がある。「また、この太陽電池パネルでは、日射量を一定にして温度を変化させると、図７に破線で示す出力電流Ｉｓと出力電圧Ｖｓとの関係は、温度が上昇すると、曲線Ｂ１からＢ２に変化し、これにつれて最大出力点もｂ１からｂ２に変化する。その結果、最大出力点は二点鎖線で示す曲線ｂのように変化する。以上のような特性であるので、温度や日射量の変化に従って、太陽電池から取り出せる最大電力が変化し、（１）このままでは太陽電池から能率よく最大電力を取り出すことができないという問題点があった。」この課題に関しては特許文献１の発明が解決した。【０００５】
特許文献１の発明によれば、太陽電池から取り出させる最大電力を発生する出力電圧最適値を検出、保持し、この保持された出力電圧最適値を基準信号として、所定時間の間、電圧制御手段を制御し、所定時間が経過後に、再び出力電圧最適値の検出、保持を行って、この保持された出力電圧最適値を基準信号として、所定時間の間、電圧制御手段を制御することを繰り返しているので、日射量や温度の変化があっても、常に最大電力を太陽電池から取り出すことができる。
しかしながら、前日夕暮れ時のａ2付近の電圧（Ｖ2以下の電圧）が、保持された出力電圧最適値を基準信号として記憶されている。翌日、日の出直後の短時間の範囲での始動には検出電圧が未だＶ2より高くならないので、インバータ始動制御はオン・オフを繰り返してスムーズに始動できないでいることがあった。
【特許文献１】特開平６−２１４６６７号公報
【発明の開示】
【０００６】
日射量が減少すると、図７に実線で示すように曲線Ａ１からＡ２に変化する。（問題点２）は、翌日の日射量が前日より少なくなって行く場合などにおいて、インバータを始動させるには従来は、インバータを始動させる都度、手動での設定操作を必要とした。無人施設に於いては、始動命令を日射および温度変動要因で修正したインバータ自動始動の技術が求められていた。
【０００７】
上記の（２）の問題点を解決するために、図７において、例えば曲線Ａ１で自動的にインバータを運転したい場合には、曲線Ａ１上の点Ａｓから曲線Ａ２上の点Ａｓｓへシフトして設定値が変化できれば自動始動が可能であろうと推論してこれに着目した。
【０００８】
「インバータ始動命令を発するトリガーとなる電気信号」を「インバータ始動キック電圧」と称するように定義し、請求項１に関しては、
インバータ出力特性を制御するための、第１の電圧検出手段と、電流検出手段と、制御手段と駆動手段とを、具備しているインバータにおいて、
時々刻々変動している日射量のサンプル値を基に作成したインバータ始動キック電圧の変動値テーブルを記憶させるモデル電圧記憶手段と、モデル電圧読出し手段と、インバータ始動キック電圧を検出する第２の電圧検出手段と、インバータ始動制御手段を具備することを特徴とした太陽光発電インバータとした。
【０００９】
請求項２に関しては、
太陽光発電パネルの出力電圧を制御して負荷に供給するインバータと、該インバータの駆動手段と、上記太陽光発電パネルの出力電圧を検出する第１の電圧検出手段と上記太陽光発電パネルの出力電流を検出する電流検出手段とで構成される上記太陽光発電パネルの出力電力を検出する電力検出手段と、上記駆動手段に対してＰＷＭ制御信号を与える電力制御手段とを、具備しているインバータにおいて、
日射量の変動値を基に作成したインバータ始動キック電圧のモデル電圧テーブルを記憶させるモデル電圧記憶手段と、モデル電圧読出し手段と、インバータ始動のキック電圧を検出する第２の電圧検出手段と、インバータ始動制御手段を具備することを特徴とした太陽光発電インバータとした。
【００１０】
請求項３に関しては、
太陽光発電パネルの出力電圧を制御して負荷に供給するインバータと、該インバータの駆動手段と、上記太陽光発電パネルの出力電圧を検出する第１の電圧検出手段と上記太陽光発電パネルの出力電流を検出する電流検出手段とで構成される上記太陽光発電パネルの出力電力を検出する電力検出手段と、上記駆動手段に対してＰＷＭ制御信号を与える電力制御手段とを、具備しているインバータにおいて、
負荷が無接点スイッチング素子を介してインバータに接続されており、
日射量の変動値を基に作成したインバータ始動キック電圧のモデル電圧テーブルを記憶させるモデル電圧記憶手段と、モデル電圧読出し手段と、インバータ始動のキック電圧を検出する第２の電圧検出手段と、インバータ始動制御手段を具備することを特徴とした太陽光発電インバータとした。該無接点スイッチング素子はサイリスタを逆並列に接続したものやトライアックなど交流を接・断できる素子であって制御電極と主電流導通電極を有し該制御電極はインバータ始動制御手段から供給される信号を受けたときのみ主電流導通させる作用を持つものである。
【００１１】
請求項４と５における前記モデル電圧テーブルの第１方式は、日射量の季節変動値を基に作成したインバータ始動キック電圧の季節変動値をモデル電圧とする時間軸と温度軸を直交軸とするテーブルの方式とし、第２方式のモデル電圧テーブルは、季節変動の要素を織り込んで時系列で読出しできるモデル電圧テーブルであることを特徴とした請求項１乃至３記載の太陽光発電インバータとした。
【００１２】
請求項４に関しては、第１方式のモデル電圧テーブルは、日射量の季節変動値を基に作成したインバータ始動キック電圧の季節変動値をモデル電圧とし、モデル電圧テーブルは時間軸をＸ軸（またはＹ軸）に、温度をＹ軸（またはＸ軸）のテーブルにしたモデル電圧テーブルであることを特徴とした請求項１乃至３記載の太陽光発電インバータとした。
【００１３】
請求項５に関しては、第２方式のモデル電圧テーブルは、季節変動の要素を織り込んで時系列で読出しできるモデル電圧テーブルである第２方式のモデル電圧テーブルは、季節変動の要素を織り込んで時系列で読出しできるモデル電圧テーブルであることを特徴とした請求項１乃至３記載の太陽光発電インバータとした。
【００１４】
ここで前記モデル電圧テーブルは、季節変動の要素を織り込んで時系列で読出しできる緩変動モデル電圧ＶMと、日日の短時間内で修正できるようにして時系列で読出しできる短日内モデル電圧ＶMLと、を記憶させて用いるテーブルにした。
【００１５】
請求項６に関しては、
前記緩変動モデル電圧ＶMと、前記短日内モデル電圧ＶMLとを記憶させて用いるテーブルにしたモデル電圧テーブルとし、ＶMテーブルとＶMLテーブルを読み出し合成して全季節の全時刻をモデル電圧として、当日のキック電圧を設定する為のモデル電圧テーブルであることを特徴とした請求項５記載の太陽光発電インバータとした。
【００１６】
請求項７に関しては、
太陽電池と、前記太陽電池に接続されたインバータと、前記太陽電池と前記インバータとの間の電圧と電流に基づいて前記インバータを制御する制御ユニットと、日射量の変動値を基に作成したインバータ始動キック電圧のモデル電圧テーブルを利用して、前記制御ユニットに対して始動命令信号を発する始動命令信号提供ユニットとを備えた太陽光発電システムとした。
このシステムでは、日射量の変動に基づいたインバータの自動始動が可能となる。
【００１７】
請求項８に関しては、
前記始動命令信号提供ユニットは、前記インバータの運転開始時に前記太陽電池と前記インバータとの間の電圧を検出して、前記電圧を前記インバータ始動キック電圧として前記モデル電圧テーブルに記憶することができる、請求項７記載の太陽光発電システムとした。
このシステムでは、学習機能によって、インバータの始動がスムーズになる。
【００１８】
請求項９に関しては、
前記始動命令信号提供ユニットは、前記モデル電圧テーブルを記憶する記憶ユニットと、前記太陽電池と前記インバータとの間の電圧を検出する電圧検出ユニットと、前記電圧検出ユニットからの検出結果に合致するインバータ始動キック電圧を前記モデル電圧テーブルから読み出す読み出しユニットと、読み出されたインバータ始動キック電圧に基づいて前記制御ユニットに対して始動命令信号を発する始動制御ユニットとを有している、請求項７又は８記載の太陽光発電システムとした。
【００１９】
請求項１０に関しては、前記モデル電圧テーブルでは、各日の中の時間、その日の属する月若しくは季節等の日射量の変動量に影響与える情報に対応して前記インバータ始動キック電圧が設定される、請求項７乃至９記載の太陽光発電システムとした。
【図面の簡単な説明】
【００２０】
【図１】本発明による一実施形態のインバータを含む全体配線図。
【図２】本発明による他の実施形態のインバータを含む全体配線図。
【図３】特許文献１に記されている、従来のインバータを含む配線図。
【図４】本発明による実施例で使用した太陽光発電パネルの出力電流と出力電圧との関係を示す図である。
【図５】本発明による一実施形態の動作説明図。
【図６】本発明による実施例で使用した太陽光発電パネルの出力電流と出力電圧との関係図。
【図７】本発明による実施例で使用した太陽電池の出力電流と出力電圧との関係が日射量及び温度の変化によって変化する状態を示す図である。
【符号の説明】
【００２１】
１  太陽光発電パネル
２  逆流防止用ダイオード
３  インバータ
４、５、６、７  スイッチング素子
８  負荷
９  スイッチ
１１  電圧検出器（電力検出手段）
１２  電流検出器（電力検出手段）
１３  制御手段
１４  駆動装置
１５  第２電圧検出器（始動手段）
１６  モデル電圧記憶手段（『ＰＶ学習機能』）
１７  モデル電圧読出し手段（『ＰＶ学習機能』）
１８  始動制御手段
１９  ＰＶ学習手段
２０  無接点スイッチング素子
Ｖ1    始動キック電圧１
Ｖ2    始動キック電圧２
【発明を実施するための最良の形態】
【００２２】
図１の本発明による一実施形態のインバータを含む全体配線図で示しながら説明する。図２の本発明による他の実施形態のインバータを含む全体配線図、と図３の特許文献１に記されている、従来のインバータを含む配線図においても同じ番号は同じ部位を示している。本実施例は、太陽光発電パネル１を有し、この太陽光発電パネル１は、保護ダイオード２を介してインバータ３の入力側に接続されている。このインバータ３は、トランジスタまたはＩＧＢＴ等のスイッチング素子４乃至７によって構成されている。このインバータ３の出力側には負荷８が接続されている。この負荷８には、開閉器９を介して商用交流電源１０が接続されている。この開閉器９は、太陽光発電パネル１側から商用交流電源１０側に逆潮流させる際に閉合される。図２の本発明による他の実施形態のインバータを含む全体配線図では、無接点スイッチング素子２０を介して負荷８がインバータ３の出力側に接続されている。このスイッチング素子２０は始動制御手段1８によって、制御電極に信号が接・断の信号が与えられインバータ始動時の状態を、無負荷・負荷の切換が高速で可能となる利点が生まれた。【００２３】
インバータ３の入力側、正・負間には、第１の電圧検出器１１が設けられており、太陽光発電パネル１からインバータ３に印加される電圧を検出している。同様にインバータ３と太陽光発電パネル１との間に直列に電流検出器１２が設けられており、太陽光発電パネル１からインバータ３に供給されている電流を検出している。これら検出電圧及び検出電流は、制御装置１３に供給される、これら検出電圧及び検出電流に基づいてインバータを電圧制御する制御装置１３は例えば特開平６−２１４６６７に示された回路である。駆動装置１４に駆動制御信号を供給し、これに応じて駆動装置１４がインバータ３の各スイッチング素子４乃至７を制御して、太陽光発電パネル１の直流電圧が、交流に変換され負荷８に対して一定になるように供給される電力を制御する。【００２４】
以下にのべる従来のインバータ制御に関する詳細は、特許文献１の記載のとおりであるから詳細の再録は省略するが、全体のつながりで必要な要旨のみ述べると、図１の制御装置１３は、検出した電圧と検出した電流とを乗算する乗算器を備えている。乗算器の乗算出力は、太陽光パネル１から取り出された出力電力を表している。この乗算器、第１の電圧検出器１１及び電流検出器１２とによって電力検出手段を構成している。この出力電力を表す信号は、抵抗器で分圧され、この分圧信号は比較器に供給され、比較器の出力が「０」から「１」に変化する直前の電圧信号をホールドして出力するホールド回路に供給され、ホールド出力は、誤差増幅器に供給されて、この誤差増幅器には、分圧信号も供給されており、両者の誤差分を増幅して、誤差増幅器が駆動装置に供給する。太陽光発電パネルに太陽光が照射されると、太陽電池が電圧を励起し、この電圧がインバータに供給され、このインバータで電圧制御されて負荷に供給される。以上の詳細は、特許文献１に記載されている。【００２５】
図２の本発明による他の実施形態のインバータを含む全体配線図では、インバータ３の出力側にサイリスタなどの無接点スイッチング素子２０を介して負荷８が接続される。負荷８には開閉器９を介し商用電源１０に接続されている。この開閉器９は太陽電池１の側から商用電源１０に逆潮流させる際に閉合される。無接点スイッチング素子２０で負荷を接・断させるようにしたので、従来の図３の回路図のようにインバータ３に接続されたままの負荷ではなく、瞬時断による瞬時無負荷運転でインバータ３の電圧をチェックしながら始動ができる利点がある。【００２６】
図１,図２の本発明によるインバータの始動がスムーズに行えるようにする為に、始動命令のトリガーとしての太陽光発電パネルの出力電圧を第２の電圧検出手段１５で検出し、記憶手段１６と、読出し手段１７と、始動制御手段１８とによってＰＶ学習手段１９を形成し、ＰＶ学習機能を発揮する。
図７は、本発明による実施例で使用した太陽光発電パネルの出力電流と出力電圧との関係が日射量及び温度の変化によって変化する状態を示す図である。この太陽電池パネルでは、温度を一定にして、日射量を変化させると、出力電流Ｉｓと出力電圧Ｖｓとの関係は、実線で示すように日射量が減少すると、曲線Ａ１からＡ２に変化し、これにつれて最大出力点もａ１からａ２に変化する。その結果、最大出力点は一点鎖線で示すａ曲線のように変化する。【００２７】
図７から本発明の説明に必要な要点のみを図４に示して説明する。無負荷に近い電流値を出力したときの直流電圧は、曲線Ａ１からＡ２に変化したとき、これにつれて電圧値はＶ１からＶ２に変化する。昼間がＶ１，日が落ちる直前はＶ２の電圧値であり図１、図２に於ける第２の電圧検出手段１５でこれらの電圧が検出される、この電圧が検出されるとモデル電圧記憶手段１６にある電圧テーブルからモデル電圧読み出し手段１７が合致する値Ｖ２を読み出す。インバータ運転中のＶ１が日暮れにＶ２を検出した時点で、モデル電圧読み出し手段１７が読み出して、その中から合致する値Ｖ２を始動制御手段１８へ信号を発して制御手段のＰＣＭ制御を絞るとインバータの出力が停止する。【００２８】
翌朝になると、電圧Ｖ１を検出してモデル電圧読み出し手段１７が、検出した電圧と合致する値Ｖ１を始動制御手段１８へ信号を発して制御手段のＰＣＭ制御の導通幅を広げてインバータの出力が増加、即ち運転開始するとともに、電圧Ｖ１を始動キック電圧として設定して図５の電圧テーブルに記憶させ保存する。図４で、温度が低いときは或る動作電圧Ｖｓは曲線B1のＶｓｓにずれるから、これも図５の電圧テーブルに記憶させておく、温度のＹ軸の点にＶｓｓが記憶されるので温度変化に対応して修正できる。図５はモデル電圧テーブルの実施形態の動作説明図である。【００２９】
図５に示す動作説明図のうち、モデル電圧テーブルの第１方式は、日射量の季節変動値を基に作成したインバータ始動キック電圧の季節変動値をモデル電圧として、温度軸と時間軸を直交軸とするテーブルの方式とし図５（ａ）に示す。【００３０】
第２方式のモデル電圧テーブルは、季節変動の要素を織り込んで時系列で読出しできる簡易モデル電圧テーブルとして、図５（ｂ）に示した、このＹ軸は１月から１２月までを示しており１２月から１月へ読出しが繋がってエンドレスに続いて行く。【００３１】
簡易モデル電圧テーブルは、季節変動の要素を織り込んで時系列で読出しできる緩変動モデル電圧ＶMと、日日修正できるようにして、短日内モデル電圧ＶMLとを記憶させて用いるテーブルとした二つのモデル電圧テーブルとした。【００３２】
第１方式は、図５（ａ）の温度軸をＸ軸としての四つの区分は、春、夏、秋、冬へと、季節を区分して与えていて、この設備が設置される場所において記録した季節変動値を基に、作成したインバータ始動キック電圧×××等をモデル電圧として記録して、PV学習させておく。【００３３】
インバータ自動始動の動作を説明すると、
例えば、区分「春」で朝ｔ2時刻の始動キック電圧××を読み出しておくと、朝、第２の電圧検出手段１５で、電圧Ｖ１を検出してモデル電圧読み出し手段１７が、検出した電圧ｘｘと合致する値Ｖ１を始動制御手段１８へ信号を発して制御手段のＰＣＭ制御の導通幅を広げてインバータの出力が増加、即ち運転開始する。同時に、電圧Ｖ１を始動キック電圧として設定して電圧テーブルに記憶させ保存する。【００３４】
温度が高いときは区分「夏」で、ｔ2時刻のキック電圧△△を読み出し運転開始する。同時に、Ａ１曲線の電圧Ｖ１を始動キック電圧として設定して電圧テーブルに記憶させる。翌日はこの電圧Ｖ１をキック電圧とするので気温が上がるときはＢ１曲線から翌日Ａ１曲線に移行して電圧Ｖ１がＢ１曲線（前日）のキック電圧より低い方向へシフトするが、第２の電圧検出手段１５で電圧検出ミスしないように、即ち「学習」機能を発揮して運転開始する。【００３５】
緩変動モデル電圧（ＶMテーブル）と短日内モデル電圧（ＶMLテーブル）を読み出し、合成して全季節の全時刻をモデル電圧として記録することが、正確に当日の始動に対してキック電圧を自動設定するために有効である。【００３６】
以上のように、本発明によれば、インバータ始動時の日射量や温度の変化があっても、始動命令信号を発するための基準となる信号値に季節変動の要素を織り込んでテーブルにしたモデル電圧テーブルを用いる。モデル電圧テーブルの記憶手段と読出し手段及び始動制御手段を具備したのでインバータ始動時において出力のオン・オフを繰り返すトラブルは生じないで日射の弱いＡ２曲線のＡｓｓで始動して、日射が安定したらＡ１曲線のＡｓで始動した場合と同じパワーを出す。
【産業上の利用可能性】
【００３７】
この発明による電源装置は家庭用のような小規模の需要先にも普及容易に、設備が安価に製作出来る。普及によって、夏期の電力不足時のピークに合わせた発電所を建設する必要が無く、社会的な省資源に貢献し、産業上の貢献度が高い。
【図１】
2007086413.tif 000003
【図２】
2007086413.tif 000004
【図３】
2007086413.tif 000005
【図４】
2007086413.tif 000006
【図５】
2007086413.tif 000007
【図６】
2007086413.tif 000008
【図７】
2007086413.tif 000009
【国際調査報告】
2007086413.tif 000010
2007086413.tif 000011
2007086413.tif 000012
2007086413.tif 000013